(57)【特許請求の範囲】
【請求項１】
ネットワークノードがダウンリンクで少なくとも１つの無線デバイスへ送信される無線フレームのタイムスロットに送信電力制御（ＴＰＣ）命令をマッピングする方法であって、
ＴＰＣ命令（１８）を無線フレームのスロットサイクル内のスロットにマッピングすることと、
前記無線フレームの前記スロットサイクル内の前記スロットでＴＰＣ命令（１８）を送信することと（Ｓ１０４）、を含み、使用される前記スロットは設定されたスロットフォーマットに基づき、
送信に使用される前記スロットはフラクショナルデジケイテッド物理チャネル（Ｆ−ＤＰＣＨ）スロットであり、前記設定されるスロットフォーマットはスロットフォーマット＃０、＃１、＃２、＃３、＃４、＃５、＃６、＃７、＃８、及び＃９のどれかであり、前記ＴＰＣ命令（１８）は前記設定されたスロットフォーマットに応じて１番目のＦ−ＤＰＣＨスロット内又は２番目のＦ−ＤＰＣＨスロット内で送信される、方法。
【請求項２】
請求項１に記載の方法であって、さらに、前記ＴＰＣ命令がスロットサイクル内の前記１番目のスロットにマッピングされるのか前記２番目のスロットにマッピングされるのかに基づいて、異なる無線リンクからＴＰＣ命令を受信するＴＰＣ合成期間を開始すること（Ｓ１１２）を含む、方法。
【請求項３】
請求項１又は２に記載の方法であって、前記ＴＰＣ命令（１８）は、前記設定されたスロットフォーマットが＃０又は＃９のときは前記２番目のＦ−ＤＰＣＨスロット内で送信され、そうでないときは前記１番目のＦ−ＤＰＣＨスロット内で送信される、方法。
【請求項４】
請求項１乃至３のいずれか１項に記載の方法であって、さらに、ＴＰＣ命令合成期間の長さ内のスロットサイクルの１番目および２番目のスロットの内の１つにおいてＴＰＣ命令（１８）を送信すること（Ｓ１０４）を含み、その期間はフラクショナルデジケイテッド物理チャネル（Ｆ−ＤＰＣＨ）の前記ダウンリンクのスロット境界の後の２ＴＰＣシンボル位置で開始する１スロットである、方法。
【請求項５】
請求項１乃至４のいずれか１項に記載の方法であって、各スロットサイクルは、ユニバーサルモバイルテレコミュニケーションシステム（ＵＭＴＳ）無線ネットワークにおけるフラクショナルデジケイテッド物理チャネル（Ｆ−ＤＰＣＨ）の無線フレームを構成する前記スロットのセット内の隣接するスロットのグループから構成される、方法。
【請求項６】
請求項１乃至５のいずれか１項に記載の方法であって、スロット当たり１０個のＴＰＣシンボルを有する３つおよび５つのスロットの内の１つを包含するスロットサイクルの１つのスロットでＴＰＣ命令（１８）が送信され、各ＴＰＣ命令（１８）は１つのＴＰＣシンボルを占める、方法。
【請求項７】
請求項１乃至６のいずれか１項に記載の方法であって、以下のステップの１つが実行される：
スロットサイクル内の前記２番目のスロットの最初の２つのＴＰＣシンボル位置は無線デバイス（４０）へＴＰＣ命令（１８）を送信するために使用される；および
前記スロットサイクルの前記１番目のスロット内の後続のＴＰＣシンボル位置は前記Ｆ−ＤＰＣＨスロットフォーマット＃１〜＃８により指定される、
方法。
【請求項８】
ネットワークノードがダウンリンクで少なくとも１つの無線デバイスへ送信される無線フレームのタイムスロットに送信電力制御（ＴＰＣ）命令をマッピングする方法であって、前記方法は、
複数のスロットサイクルの各スロットサイクル内の初期無線リンク設定において、
ＴＰＣ命令を終わりの８つのＴＰＣシンボル位置のいずれかにマッピングするＦ−ＤＰＣＨスロットフォーマット（＃１〜＃８）を有する前記スロットサイクルの１番目のスロットに前記ＴＰＣ命令をマッピングすること（Ｓ１０６）；および、
ＴＰＣ命令を２番目のスロット内の最初の２つのＴＰＣシンボル位置のいずれかにマッピングするＦ−ＤＰＣＨスロットフォーマット（＃０か＃９）を有する前記スロットサイクルの前記２番目のスロットに前記ＴＰＣ命令をマッピングすること（Ｓ１０８）、
の内の１つを実行する（Ｓ１０５）、方法。
【請求項９】
請求項８に記載の方法であって、各スロットサイクル内で、（ａ）＃１から＃８までの前記Ｆ−ＤＰＣＨスロットフォーマットのどれかを備える前記１番目のＦ−ＤＰＣＨスロット、および、（ｂ）前記スロットフォーマット＃９と＃０の内の１つを備える前記２番目のＦ−ＤＰＣＨスロット、の内の１つで１つのＴＰＣ命令が送信される、方法。
【請求項１０】
ダウンリンクで少なくとも１つの無線デバイス（４０）へ送信される無線フレームのタイムスロットに送信電力制御（ＴＰＣ）命令をマッピングするためのネットワークノードであって、
前記ネットワークノードはプロセッサ（１６）および前記プロセッサ（１６）と通信するメモリ（１４）を含む処理回路（１２）を含み、
前記メモリ（１４）は、ＴＰＣ命令（１８）と、
前記プロセッサ（１６）により実行されるときに、前記プロセッサ（１６）に、
設定されたスロットフォーマットに基づいて前記無線フレームのスロットサイクル内のスロットへＴＰＣ命令（１８）をマッピングさせ、
前記無線フレームの前記スロットサイクル内の前記スロットで少なくとも１つの無線デバイス（４０）へＴＰＣ命令（１８）を送信させる、
実行可能なプログラムコードと、を記憶するように構成され、
前記設定されたスロットフォーマットはフラクショナルデジケイテッド物理チャネル（Ｆ−ＤＰＣＨ）スロットであり、前記設定されたスロットフォーマットはスロットフォーマット＃０、＃１、＃２、＃３、＃４、＃５、＃６、＃７、＃８及び＃９のどれかであり、前記設定されたスロットフォーマットに応じて、２番目のＦ−ＤＰＣＨスロット内又は１番目のＦ−ＤＰＣＨスロット内で前記ＴＰＣ命令が送信される、ネットワークノード。
【請求項１１】
請求項１０に記載のネットワークノードであって、前記設定されたスロットフォーマットが＃０又は＃９のときは、前記２番目のＦ−ＤＰＣＨスロット内で前記ＴＰＣ命令（１８）が送信され、そうでないときは前記１番目のＦ−ＤＰＣＨスロット内で送信される、ネットワークノード。
【請求項１２】
ダウンリンクで少なくとも１つの無線デバイスへ送信される無線フレームのタイムスロットに送信電力制御（ＴＰＣ）命令をマッピングするネットワークノード（１０）であって、前記ネットワークノードは、
プロセッサ（１６）および前記プロセッサ（１６）と通信するメモリ（１４）を含む処理回路（１２）を含み、
前記メモリ（１４）は、ＴＰＣ命令（１８）を記憶するように構成され、
プロセッサ（１６）は、複数のスロットサイクルの各スロットサイクル内の初期無線リンク設定において、
ＴＰＣ命令を１番目のスロットの終わりの８つのＴＰＣシンボル位置のいずれかにマッピングするＦ−ＤＰＣＨスロットフォーマット（＃１〜＃８）を有する前記スロットサイクルの前記１番目のスロットの１つに前記ＴＰＣ命令をマッピングすること（Ｓ１０６）、および、
ＴＰＣ命令を２番目のスロットの最初の２つのＴＰＣシンボル位置のいずれかにマッピングするＦ−ＤＰＣＨスロットフォーマット（＃０か＃９）を有する前記スロットサイクルの前記２番目のスロットの１つに前記ＴＰＣ命令をマッピングすること（Ｓ１０８）、
の内の１つを実行するように構成される、ネットワークノード。
【請求項１３】
無線デバイス（４０）において、無線フレームのスロットの送信電力制御（ＴＰＣ）命令（１８）を受信する方法であって、
設定されたスロットフォーマットに基づいて前記無線フレームのスロットサイクル内のスロット内においてＴＰＣ命令（１８）を受信すること（Ｓ１１０）を含み、
前記スロットはフラクショナルデジケイテッド物理チャネル（Ｆ−ＤＰＣＨ）スロットであり、前記設定されたスロットフォーマットはスロットフォーマット＃０、＃１、＃２、＃３、＃４、＃５、＃６、＃７、＃８、及び＃９のどれかであり、前記設定されたスロットフォーマットに応じて、前記ＴＰＣ命令（１８）は２番目のＦ−ＤＰＣＨスロット内又は１番目のＦ−ＤＰＣＨスロット内で受信される、方法。
【請求項１４】
請求項１３に記載の方法であって、前記設定されたスロットフォーマットが＃０又は＃９のときは、前記ＴＰＣ命令（１８）は前記２番目のＦ−ＤＰＣＨスロット内で受信され、そうでないときは前記１番目のＦ−ＤＰＣＨスロット内で受信される、方法。
【請求項１５】
請求項１３又は１４に記載の方法であって、異なる無線リンクからの前記ＴＰＣ命令はプロセッサ（４６）によりアクセス可能なレジスタに記憶される、方法。
【請求項１６】
請求項１３乃至１５のいずれか１項に記載の方法であって、さらに、前記ＴＰＣ命令を包含するために前記１番目および前記２番目のスロットと部分的に重なる合成期間の間に異なる無線リンクから少なくとも２つのＴＰＣ命令を受信することを含む、方法。
【請求項１７】
請求項１３乃至１６のいずれか１項に記載の方法であって、さらに、前記ＴＰＣ命令を包含するために前記１番目および２番目のスロットと部分的に重なる合成期間の間に異なる無線リンクからの少なくとも２つのＴＰＣ命令を合成すること（Ｓ１１２）を含む、方法。
【請求項１８】
無線フレームのスロットにおいて送信電力制御（ＴＰＣ）命令（１８）を受信する無線デバイスであって、前記無線フレームのスロットサイクル内のスロット内でＴＰＣ命令を受信するように構成される処理回路（４２）を含み、
前記スロットはフラクショナルデジケイテッド物理チャネル（Ｆ−ＤＰＣＨ）スロットであり、設定されるスロットフォーマットはスロットフォーマット＃０、＃１、＃２、＃３、＃４、＃５、＃６、＃７、＃８及び＃９のどれかであり、
前記ＴＰＣ命令のマッピングを実行するために使用されるＴＰＣシンボル位置は前記設定されたスロットフォーマットに基づき、
前記設定されたスロットフォーマットに応じて、前記ＴＰＣ命令（１８）は２番目のＦ−ＤＰＣＨスロット内又は１番目のＦ−ＤＰＣＨスロット内で受信される、
無線デバイス。
【請求項１９】
請求項１８に記載の無線デバイスであって、前記設定されたスロットフォーマットが＃０又は＃９のときは、前記ＴＰＣ命令（１８）は前記２番目のＦ−ＤＰＣＨスロット内で受信され、そうでないときは前記１番目のＦ−ＤＰＣＨスロット内で受信される、無線デバイス。
【請求項２０】
請求項１８又は１９に記載の無線デバイスであって、前記処理回路はさらに、ＴＰＣ命令を包含するために前記１番目および２番目のスロットと部分的に重なる合成期間の間に異なる無線リンクからの少なくとも２つのＴＰＣ命令が受信されるように構成される、無線デバイス。
【請求項２１】
請求項１８乃至２０のいずれか１項に記載の無線デバイスであって、少なくとも２つのＴＰＣ命令を包含するために前記１番目および２番目のスロットと部分的に重なる合成期間の間に異なる無線リンクからの少なくとも２つのＴＰＣ命令を合成することをさらに含む、無線デバイス。
【請求項２２】
請求項１８乃至２１のいずれか１項に記載の無線デバイスであって、異なる無線リンクからの少なくとも２つのＴＰＣ命令はプロセッサによりアクセス可能なレジスタに記憶される、無線デバイス。
【発明の詳細な説明】
【技術分野】
【０００１】
本発明は無線通信に関係する。特に無線通信システム電力制御に関する。
【背景技術】
【０００２】
第３世代パートナーシッププロジェクト（３ＧＰＰ）リリース１３の一環として、ユニバーサルモバイルテレコミュニケーションシステム（ＵＭＴＳ)についてのダウンリンク拡張についての研究が行われた。技術仕様グループ（ＴＳＧ）無線アクセスネットワーク（ＲＡＮ）ワーキンググループ１（ＷＧ１）の専門分野において、研究項目の説明（ＳＩＤ）は、ダウンリンク（ＤＬ）送信電力制御（ＴＰＣ）命令を処理するための新しいアルゴリズムを導入する可能性を含んでいた。研究項目フェーズの間に実施された調査から、ＤＬ  ＴＰＣ命令を処理するための２つの候補アルゴリズムが導出された。それらはそれぞれ「ＴＰＣ命令の反復」および「ＴＰＣ命令の不連続送信（ＤＴＸ）」アルゴリズムとして記載された。
【０００３】
３ＧＰＰ会議ＲＡＮ１＃８２において、ＴＳＧ  ＲＡＮＷＧ１により「ＴＰＣ命令のＤＴＸ」アルゴリズムが３ＧＰＰリリース１３において標準化される新しい電力制御アルゴリズム（以下、アルゴリズム３）として選択された。一般的な説明として、既存のユニバーサルモバイルテレコミュニケーションシステム（ＵＭＴＳ）電力制御アルゴリズム１および２の両方はダウンリンクにおいて１５００ＨｚのＴＰＣ周波数動作に従う（すなわち、基地局はあらゆる単一のスロットにおいて、ダウンリンクにおいて新しいＴＰＣ命令を送信する。）、それに対して「ＴＰＣ命令のＤＴＸ」と呼ばれるアルゴリズムは、ダウンリンクにおけるＴＰＣ周波数動作を、設定されるデシメーション係数に依存する３倍または５倍の速度で遅くする。言い換えれば、アルゴリズム３が設定される場合、３スロットのうちの１つまたは５スロットのうちの１つがＴＰＣ命令を含み、残りのスロットはデシメートされる（すなわち送信が行われない。）。
【０００４】
ＲＡＮ１＃８２ｂｉｓにおいて、ＴＳＧ  ＲＡＮ  ＷＧ１は、リリース１３において電力制御アルゴリズム３の適切な標準化に向け、その時までに不明な手続と互換性の問題との少なくともいずれかについて議論を続け、更なる調査を必要とした。オープンな技術的問題の１つは、ＴＰＣ命令がＤＬで送信されるべきスロットサイクル（すなわち設定されたデシメート係数に等しいスロットのグループ）内のスロット位置に言及した。
【０００５】
研究項目フェーズの間、アルゴリズム３の動作は、ＤＬにおいて送信されるＴＰＣ命令を常にスロットサイクル内の最初のスロットにマッピングすることによって例示された。それに関連して、ＲＡＮ１＃８２において開かれたセッションの間、アルゴリズム３がＤＬ  ＴＰＣシンボルを送信するためにスロットサイクル内の終わりのスロットを同様に（すなわち、決定論的な方法で）使うことができるか疑問とされた。
【０００６】
一方では、アルゴリズム３の利点の１つは、デシメーションが生じても、ユーザ端末（ＵＥｓ）のような他の無線デバイスを同じＴＰＣシンボルに多重化する能力だから、ＲＡＮ１＃８２の間、アルゴリズム３のこの利点を処理するために、おそらくＤＬ  ＴＰＣシンボルはスロットサイクル内のどのスロットにもマッピングできると述べられた。しかし、この点では、既に標準が同じＦ−ＤＰＤＨチャネライゼーションコードで同じＦ−ＤＰＣＨ  ＴＰＣシンボル位置に無線デバイスを多重化することを許容していること（すなわち、フラクショナルデジケイテッド物理チャネル（ｆｒａｃｔｉｏｎａｌ  ｄｅｄｉｃａｔｅｄ  ｐｈｙｓｉｃａｌ  ｃｈａｎｎｅｌ（Ｆ−ＤＰＣＨ））フレームタイミングとスロットフォーマットの適切な組み合わせを割り当てることによる。）は注目すべきである。従って、同じ目的（すなわち、ＴＰＣ命令が受信されるはずのスロットサイクル内のスロット＃を無線デバイスに動的に示すためのシグナリングを追加する。）のために新しいシグナリングを追加することは本当は必要でない。
【０００７】
それにもかかわらず、ＲＡＮ１＃８２ｂｉｓの間に、もしアルゴリズム３を設定される基地局がＤＬで送信されるＴＰＣ命令を決定論的な方法で必ずスロットサイクル内の最初のスロットにマップすると、ソフトハンドオーバーにおいて潜在的なＴＰＣシンボル位置の衝突問題があることが指摘された。
【０００８】
ＴＰＣ命令がＤＬで送信されるべきスロットサイクル内のスロット位置は未解決の課題として現時点で残った。しかしこの問題はリリース１３におけるアルゴリズム３の標準化を確定するために速やかに解決されなければならない。
【０００９】
さらに、研究項目フェーズの間、Ｆ−ＤＰＣＨはダウンリンクで送信されるＴＰＣ命令の送信を例示するのに使用された。この物理チャネルに関する背景は以下のように提供される。
【００１０】
Ｆ−ＤＰＣＨはデジケイテッドチャネルに使用されるダウンリンクチャネライゼーションコードの量を減らすためにＲｅｌ−６において導入された。スロット毎に１つの電力制御命令を送信する唯一の目的のために１つのＤＰＣＨを割り当てる代わりに、Ｆ−ＤＰＣＨはこの目的のために最大１０の無線デバイスが単一のチャネライゼーションコードを共用することを可能にする。Ｆ−ＤＰＣＨは拡散率２５６で直交位相シフトキーイング（ＱＰＳＫ）変調を使用する。
【００１１】
Ｆ−ＤＰＣＨのフレーム構造は簡単である。１０ｍｓ長の各フレームは１５スロットに分割され、各スロットは２５６０チップ（Ｃｈｉｐ）から構成される。各スロットは１０シンボルを含み、各シンボルは２チャネルビットから構成される。全てのシンボルが１つのＴＰＣ命令に対応する。ビット列１１はＴＰＣ命令ＵＰを表し、ビット列００はＴＰＣ命令ＤＯＷＮを表す。結果的に、全てのスロットは最大１０のＴＰＣ命令を搬送することができ、これにより１つのＦ−ＤＰＣＨは最大１０の無線デバイスに適応できる。
【００１２】
仕様では、聴取するための特定のＦ−ＤＰＣＨチャネライゼーションコードとＦ−ＤＰＣＨスロットフォーマットとを無線デバイスに割り当てることによって、聴取するための異なるＴＰＣ命令シンボルが無線デバイスに割り当てられる。概念が図１および以下の表１に示される。
【００１３】
（表１）
0006613364.tif 000002
【００１４】
Ｆ−ＤＰＣＨは、スロット内のＴＰＣシンボル位置の場所の間に差異がある、１０個の異なるスロットフォーマット（０から９、すなわち、＃０、＃１、＃２、＃３、＃４、＃５、＃６、＃７、＃８、＃９）に設定され得る。「ＴＰＣ命令のＤＴＸ」アルゴリズムが使用中の場合、スロットサイクル毎にダウンリンクにおいて１つのＴＰＣ命令のみが送信される（すなわち、デシメーション係数（Decimation Factor）に応じて３つのスロットの内の１つ又は５スロットの内の１つ）。
【００１５】
無線デバイスがソフトハンドオーバ（ＳＨＯ）にある場合、アクティブセットにおける異なるセルから各スロットにおいて複数のＴＰＣ命令を受信してもよい。Ｆ−ＤＰＣＨのスロットフォーマット＃９がアルゴリズム３と共に使用されるように設定されると仮定すると、ＳＨＯにおいて基地局がＤＬで送信されるＴＰＣ命令をスロットサイクル内の１番目のスロットの最初の２つのＴＰＣシンボル位置のいずれかにマップし、最初に設定された無線リンク以外のいずれかの無線リンクが非デシメートスロットの最初の５１２チップを利用できない場合、それらの無線リンクのＴＰＣ命令は１番目のスロット内の他のＴＰＣシンボル位置にマップされなければならない。それにもかかわらず、Ｆ−ＤＰＣＨが設定された場合、非デシメートスロットの境界の開始から５１２チップを超える離れた異なる無線リンクからＴＰＣシンボルを受信することは、無線デバイスがＤＬにおいて異なる無線リンクから受信されたＴＰＣ命令を合成することをできなくする。これは無線デバイスがいわゆる「ＴＰＣ命令合成期間」を開始することができる前に５１２チップの遅延があるためである。この問題は図２に示されている。Ｆ−ＤＰＣＨスロットフォーマット＃０が使用されるときも同じ問題がある。
【発明の概要】
【００１６】
いくつかの実施形態は、送信される無線フレームのタイムスロットに送信電力制御（ＴＰＣ）命令をダウンリンクの少なくとも１つの無線デバイスにマッピングするための方法とシステムとを有利に提供する。１つの側面によれば、方法は無線フレームのスロットサイクル内の１番目および２番目のスロットの内の１つにおいてＴＰＣ命令を送信することを含み、使用されたスロットは設定されたスロットフォーマットに基づく。方法はさらに、ＴＰＣ命令を無線フレームの１番目および２番目のスロットの内の１つにマッピングすることを含む。ＴＰＣ命令のマッピングを実行するために使用されるＴＰＣシンボル位置は設定されたスロットフォーマットに基づく。方法はさらに、ＴＰＣ命令がスロットサイクル内の１番目のスロット又は２番目のスロットにマッピングされるかどうかに基づいて、異なる無線リンクからＴＰＣ命令を受信するＴＰＣ合成期間を含む。
【００１７】
この側面によれば、いくつかの実施例において、使用されるスロットはフラクショナルデジケイテッド物理チャネル（Ｆ−ＤＰＣＨ）スロットであり、設定されたスロットフォーマットは、スロットフォーマット、＃０、＃１、＃２、＃３、＃４、＃５、＃６、＃７、＃８、及び＃９の１つであり、設定されたスロットフォーマットが＃０か＃９の場合、ＴＰＣ命令はスロットサイクルの２番目のＦ−ＤＰＣＨスロット内で送信され、そうでないときはスロットサイクルの１番目のＦ−ＤＰＣＨスロット内で送信される。いくつかの実施形態では、方法は、ＴＰＣ命令合成期間の長さ内のスロットサイクルの１番目および２番目のスロットの内の１つにおいてＴＰＣ命令を送信することをさらに含み、その期間はフラクショナルデジケイテッド物理チャネル（Ｆ−ＤＰＣＨ）のダウンリンクスロット境界の後の２ＴＰＣシンボル位置を開始する１スロットである。いくつかの実施形態では、各スロットサイクルは、ユニバーサルモバイルテレコミュニケーションシステム（ＵＭＴＳ）無線ネットワークのフラクショナルデジケイテッド物理チャネル（Ｆ−ＤＰＣＨ）の無線フレームを構成するスロットのセット内の隣接するスロットのグループから構成される。いくつかの実施形態では、スロット当たり１０個のＴＰＣシンボルを有する３つおよび５つのスロットの１つを含むスロットサイクルの１つのスロットでＴＰＣ命令が送信され、各ＴＰＣ命令は１つのＴＰＣシンボルを占める。いくつかの実施形態では、スロットサイクル内の１番目のスロットにＴＰＣ命令をマッピングするために使用されるＦ−ＤＰＣＨスロットフォーマットは、２、３、４、５、６、７、８及び９つＴＰＣシンボルのどれかによって１番目のスロットの境界からのオフセットを指定する。そして、スロットサイクル内の２番目のスロットにＴＰＣ命令をマッピングするために使用されるＦ−ＤＰＣＨスロットフォーマットは、そのスロットの最初の２つのＴＰＣシンボル位置のいずれかにおいて、２番目のスロットの境界の開始に隣接してＴＰＣ命令が送信されることを指定する。いくつかの実施形態では、次のステップの内の１つが実行される。：スロットサイクル内の２番目のスロットの最初の２つのＴＰＣシンボル位置がＴＰＣ命令の送信のために使用される。；スロットサイクルの１番目のスロット内の後続のＴＰＣシンボル位置（ｓｕｂｓｅｑｕｅｎｔＴＰＣ ｓｙｍｂｏｌ ｐｏｓｉｔｉｏｎｓ）はＦ−ＤＰＣＨスロットフォーマット＃１から＃８により指定される。いくつかの実施形態では、スロットサイクルの１番目のスロット又は２番目のスロットでＴＰＣ命令が送信される場合、ＴＰＣ合成期間は、Ｆ−ＤＰＣＨ無線フレームのダウンリンクスロット境界に関して２ＴＰＣシンボル位置が過ぎた後に開始される。いくつかの実施形態では、方法はさらに、Ｆ−ＤＰＣＨ無線フレームの１番目のスロットの最初の２つのＴＰＣシンボルが発生した後にＴＰＣ合成期間を開始し、次の続くスロットの最初の２つのＴＰＣシンボルが発生した後にＴＰＣ合成期間を終了することを含み、ＴＰＣ合成期間は逐次繰り返される。いくつかの実施形態では、ＴＰＣ合成期間の開始は、プライマリ共通制御物理チャネル（Ｐ−ＣＣＰＣＨ）の開始に���して決定され、いくつかの実施形態では、ＴＰＣ合成期間の開始は、プライマリ共通制御物理チャネル（Ｐ−ＣＣＰＣＨ）の開始に対して、次により与えられる。
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ＋２５６＊ ＮＯＦＦ１／２）ｍｏｄｕｌｏ３８４００、
ｋ＝０，１、・・・１５／Ｎ−１  の場合、ここで、ＮＯＦＦ１＝０  なら  ｓｔａｒｔ＿ｏｆｆｓｅｔ＝２５６０、  そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）フレームタイミングオフセット、ＮＯＦＦ１は使用されたスロットフォーマットに対するＦ−ＤＰＣＨスロットフォーマット表に見つけることができる。
【００１８】
他の側面によれば、ダウンリンクで少なくとも１つの無線デバイスへ送信される無線フレームのタイムスロットに送信電力制御命令（ＴＰＣ）へマッピングする方法が提供される。方法は、複数のスロットサイクルの各スロットサイクル内の初期無線リンク設定を含み：ＴＰＣ命令を終わりの８つの（ｌａｓｔ  ｅｉｇｈｔ）ＴＰＣシンボル位置のいずれかにマッピングするＦ−ＤＰＣＨスロットフォーマット（＃１〜＃８）を有するスロットサイクルの１番目のスロットへ、ＴＰＣ命令をマッピングすること；およびＴＰＣ命令をスロットサイクル内の２番目のスロットの最初の２つのＴＰＣシンボル位置のいずれかにマッピングするＦ−ＤＰＣＨスロットフォーマット（＃０又は＃９）を有するスロットサイクルの２番目のスロットへ、ＴＰＣ命令をマッピングすること、の内の１つを実行する。いくつかの実施形態では、各スロットサイクルで：（ａ）＃１から＃８までのスロットフォーマットの１つを備える１番目のＦ−ＤＰＣＨスロット（ｂ）スロットフォーマット＃９と＃０の内の１つを備える２番目のＦ−ＤＰＣＨ、の内の１つで１つのＴＰＣ命令が送信される。
【００１９】
他の側面によれば、ダウンリンクで少なくとも１つの無線デバイスへ送信される無線フレームのタイムスロットに送信電力制御（ＴＰＣ）命令をマッピングするためのネットワークノードが提供される。ネットワークノードはプロセッサとプロセッサと通信するメモリとを含む処理回路を含む。メモリはＴＰＣ命令と、プロセッサにより実行される場合にプロセッサに対し、設定されたスロットフォーマットに基づく無線フレームのスロットサイクル内の１番目および２番目のスロットの内の１つへＴＰＣ命令をマッピングをさせる実行可能プログラムコードを記憶するよう構成される。プロセッサはまた、無線フレームのスロットサイクル内の１番目および２番目のスロットの内の１つで少なくとも１つの無線デバイス４０へＴＰＣ命令１８を送信するように構成される。
【００２０】
この側面によれば、いくつかの実施形態では、無線フレームのスロットサイクル内の１番目および２番目のスロットの内の１つへＴＰＣ命令１８をマッピングすることは、使用されたスロットのＴＰＣシンボル位置へＴＰＣ命令をマッピングすることを含み、ＴＰＣ命令１８のマッピングと送信を実行するために使用されるスロットのＴＰＣシンボル位置は設定されたスロットフォーマットに基づく。いくつかの実施形態では、タイムスロットはフラクショナルデジケイテッド物理チャネル（Ｆ−ＤＰＣＨ）スロットであり、設定されたスロットフォーマットはスロットフォーマット＃０、＃１、＃２、＃３、＃４、＃５、＃６、＃７、＃８及び＃９の内のどれかである。ＴＰＣ命令は、設定されたスロットフォーマットが  ＃０又は＃９の場合は２番目のＦ−ＤＰＣＨスロット内で送信され、そうでないときは１番目のＦ−ＤＰＣＨスロット内で送信される。いくつかの実施形態では、プロセッサはさらに、ＴＰＣ命令合成期間の長さ内のスロットサイクルの１番目および２番目のスロットの内の１つでＴＰＣ命令を送信するように構成され、その期間はフラクショナルデジケイテッド物理チャネル（Ｆ−ＤＰＣＨ）のダウンリンクスロット境界の後の２ＴＰＣシンボル位置を開始する１スロットである。いくつかの実施形態では、各スロットサイクルは、ユニバーサルモバイルテレコミュニケーションシステム（ＵＭＴＳ）無線ネットワークのフラクショナルデジケイテッド物理チャネル（Ｆ−ＤＰＣＨ）の無線フレームを構成するスロットの部分である。
【００２１】
いくつかの実施形態では、スロットサイクルはスロット当たり１０シンボルを備える３つおよび５つのスロットの内の１つを包含し、各ＴＰＣ命令は１つのＴＰＣシンボルを占める。いくつかの実施形態では、スロットサイクル内で１番目のスロットにＴＰＣ命令をマッピングするために使用されるＦ−ＤＰＣＨスロットフォーマットは、２、３、４、５、６、７、８及び９つのＴＰＣシンボルの内のどれかによって１番目のスロットの境界からのオフセットを指定し、スロットサイクル内の２番目のスロットにＴＰＣ命令をマッピングするために使用されるＦ−ＤＰＣＨスロットフォーマットは、そのスロットの最初の２つのＴＰＣシンボル位置のいずれかにおいて、２番目のスロットの境界の開始に隣接してＴＰＣ命令が送信されることを指定する。いくつかの実施形態ではスロットサイクル内の１番目のスロットにＴＰＣ命令をマッピングするために使用されるＦ−ＤＰＣＨスロットフォーマットは、０から９までのスロットフォーマットのグループの１−８のスロットフォーマットの内のどれかであり、スロットサイクル内の２番目のスロットにＴＰＣ命令をマッピングするために使用されるＦ−ＤＰＣＨスロットフォーマットは、スロットフォーマットのグループのスロット０と９の内の１つであり、グループのフォーマットは無線通信規格（ｗｉｒｅｌｅｓｓ  ｃｏｍｍｕｎｉｃａｔｉｏｎ  ｓｔａｎｄａｒｄ）により規定される。いくつかの実施形態では、１つのネットワークノードは以下の内の１つを実行する：スロットサイクル内の２番目のスロットの最初の２つのＴＰＣシンボル位置は無線デバイスへＴＰＣ命令の送信のために使用される；およびスロットサイクルの１番目のスロット内の後続のＴＰＣシンボル位置はＦ−ＤＰＣＨスロットフォーマット＃１〜＃８により指定される。いくつかの実施形態では、プロセッサはさらに、ＴＰＣ命令合成期間の長さ内のスロットサイクルの１番目および２番目のスロットの内の１つでＴＰＣ命令を送信するように構成され、その期間は、Ｆ−ＤＰＣＨのダウンリンクスロット境界の後の２ＴＰＣシンボル位置で開始する１スロットである。いくつかの実施形態では、プロセッサはさらに、Ｆ−ＤＰＣＨ無線フレームの１番目のスロットの最初の２つのＴＰＣシンボルが発生した後にＴＰＣ合成期間を開始し、次の続くスロットの最初の２つのＴＰＣシンボルが発生した後にＴＰＣ合成期間を終らせるように構成され、ＴＰＣ合成期間は連続して繰り返される。いくつかの実施形態では、ＴＰＣ合成期間の開始はプライマ共通制御物理チャネル（Ｐ−ＣＣＰＣＨ）の開始に対して決定される。いくつかの実施形態では、プライマリ共通制御物理チャネルの開始に対するＴＰＣ合成期間の開始は次により与えられる。
【００２２】
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ＋２５６＊  ＮＯＦＦ１／２）ｍｏｄｕｌｏ  ３８４００、
ｋ＝０、１、・・・１５／Ｎ−１  の場合、ＮＯＦＦ１＝０  の場合  ｓｔａｒｔ＿ｏｆｆｓｅｔ＝２５６０、そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）のフレームタイミングオフセット、およびＮＯＦＦ１は使用されたスロットフォーマットに対すＦ−ＤＰＣＨスロットフォーマット表に見つけることができる。
【００２３】
さらに他の側面によれば、ネットワークノードは、ダウンリンクで少なくとも１つの無線デバイスへ送信される無線フレームのタイムスロットに送信電力制御（ＴＰＣ）命令をマッピングするために構成される。ネットワークノードはプロセッサと、プロセッサと通信するメモリとを含む処理回路を含む。メモリはＴＰＣ命令を記憶するように構成される。プロセッサは、複数のスロットサイクルの各スロットサイクル内の初期無線リンクで、：１番目のスロットの終わりの８つのＴＰＣシンボル位置のいずれかにＴＰＣ命令をマッピングするＦ−ＤＰＣＨスロットフォーマット（＃１〜＃８）を有するスロットサイクルの１番目のスロットの内の１つへＴＰＣ命令をマッピングすること、；および２番目のスロットの最初の２つのＴＰＣシンボル位置のいずれかにＴＰＣ命令をマッピングするＦ−ＤＰＣＨスロットフォーマット（＃０または＃９）を有するスロットサイクルの２番目のスロットの内のどれかへＴＰＣ命令をマッピングすること；の内の１つを実行する。
【００２４】
さらに他の側面によれば、無線フレームのスロットで送信電力制御（ＴＰＣ）命令を受信する方法が提供される。この方法は、無線フレームのスロットサイクル内で１番目および２番目のスロットの内の１つの内でＴＰＣ命令を受信することを含む。この側面によれば、いくつかの実施形態では、ＴＰＣ命令のマッピングを実行するために使用されるＴＰＣシンボル位置は設定されたスロットフォーマットに基づく。いくつかの実施形態では、タイムスロットはフラクショナルデジケイテッド物理チャネル（Ｆ−ＤＰＣＨ）スロットであり、設定されたスロットフォーマットは  ＃０、＃１、＃２、＃３、＃４、＃５、＃６、＃７、＃８及び＃９スロットフォーマットのどれかである。そして、設定されたスロットフォーマットが＃０又は＃９の場合、ＴＰＣ命令は２番目のＦ−ＤＰＣＨスロット内で受信され、そうでないときは１番目のＦ−ＤＰＣＨスロット内で受信される。いくつかの実施形態では、異なる無線リンクからのＴＰＣ命令はプロセッサによりアクセス可能なレジスタに記憶される。いくつかの実施形態では、この方法はさらに、ＴＰＣ命令を包含する（ｅｎｃｏｍｐａｓｓ）ために、スロットサイクルの１番目および２番目のスロットと部分的に重なる、合成期間の間に異なる無線リンクから少なくとも２つのＴＰＣ命令を受信することを含む。いくつかの実施形態では、この方法はさらに、ＴＰＣ命令を包含するために、スロットサイクルの１番目および２番目のスロットと部分的に重なる、合成期間の間に異なる無線リンクからの少なくとも２つのＴＰＣ命令を合成することを含む。
【００２５】
他の側面によれば、無線フレームのスロットにおいて送信電力制御（ＴＰＣ）命令を受信するための無線デバイスである。無線デバイスは無線フレームのスロットサイクル内の１番目および２番目のスロットの内の１つ内でＴＰＣ命令を受信するように構成された処理回路を含む。いくつかの実施形態では、ＴＰＣ命令のマッピングを実行するために使用されるＴＰＣシンボル位置は設定されたスロットフォーマットに基づく。いくつかの実施形態によれば、タイムスロットはフラクショナルデジケイテッド物理チャネル（Ｆ−ＤＰＣＨ）スロットであり、設定されたスロットフォーマットは、スロットフォーマット＃０、＃１、＃２、＃３、＃４、＃５、＃６、＃７、＃８及び＃９のどれかである。ここで設定されたスロットフォーマットが＃０か＃９の場合は２番目のＦ−ＤＰＣＨスロット内でＴＰＣ命令が受信され、そうでないときは１番目のＦ−ＤＰＣＨスロット内で受信される。いくつかの実施形態では、処理回路はさらに、ＴＰＣ命令を包含するために、スロットサイクルの１番目および２番目のスロットと部分的に重なる合成期間の間に異なる無線リンクからの少なくとも２つのＴＰＣ命令が受信されるように構成される。いくつかの実施形態では、無線デバイスはさらに、少なくとも２つのＴＰＣ命令を包含するために、スロットサイクルの１番目および２番目のスロットと部分的に重なる合成期間の間に異なる無線リンクからの少なくとも２つのＴＰＣ命令を合成することを実行する。いくつかの実施形態では、異なる無線リンクからの少なくとも２つのＴＰＣ命令はプロセッサによりアクセス可能なレジスタに記憶される。
【００２６】
別の側面によれば、ダウンリンクで少なくとも１つの無線デバイスへ送信されるＦ−ＤＰＣＨ無線フレームのタイムスロットに送信電力制御（ＴＰＣ）命令をマッピングするためのネットワークノードが提供される。ネットワークノードはＦ−ＤＰＣＨ無線フレームのスロットサイクル内の１番目および２番目のスロットのどれかにＴＰＣ命令をマッピングするために構成されたマッピングモジュールを含み、ＴＰＣ命令のマッピングを実行するために使用されるＴＰＣシンボル位置は設定されるＦ−ＤＰＣＨスロットフォーマットに基づく。
【００２７】
さらに他の側面によれば、ダウンリンクで少なくとも１つの無線デバイスへ送信されるＦ−ＤＰＣＨ無線フレームのタイムスロットに送信電力制御（ＴＰＣ）命令をマッピングするネットワークノードが提供される。ネットワークノードはＴＰＣ命令を記憶するように構成されたメモリモジュールを含む。ネットワークノードはさらに、スロットサイクルのスロットへＴＰＣ命令をマッピングするように構成されたＴＰＣ命令マッピングモジュールを含み、マッピングは、終わりの８つのＴＰＣシンボル位置のいずれかにＴＰＣ命令をマッピングするＦ−ＤＰＣＨスロットフォーマット（＃１〜＃８）を有するスロットサイクルの１番目のスロットへＴＰＣ命令をマッピングすること；又は２番目のスロット内の最初の２つのＴＣＰシンボル位置のいずれかにＴＰＣ命令をマッピングするＦ−ＤＰＣＨスロットフォーマット（＃０か＃９）を有するスロットサイクルの２番目のスロットにＴＰＣ命令をマッピングすること、を含む。
【００２８】
この側面によれば、いくつかの実施形態では、各スロットサイクルはユニバーサルモバイルテレコミュニケーションシステム（ＵＭＴＳ）無線ネットワークのフラクショナルデジケイテッド物理チャネル（Ｆ−ＤＰＣＨ）である。いくつかの実施形態では、スロットサイクル内の１番目のスロットにＴＰＣ命令をマッピングするために使用されるＦ−ＤＰＣＨスロットフォーマットは、２，３，４，５，６，７，８および９つのＴＰＣシンボルのどれかによってスロットサイクル内で１番目のスロットの境界からオフセットを指定する。そして、スロットサイクル内の２番目のスロットにＴＰＣ命令をマッピングするために使用されるＦ−ＤＰＣＨスロットフォーマットは、ＴＰＣ命令がそのスロットの最初の２つのＴＰＣシンボル位置のいずれかにおいて、２番目のスロットの境界の開始に隣接して送信されることを指定する。いくつかの実施形態では、スロットサイクル内の１番目のスロットにＴＰＣ命令をマッピングするために使用されるＦ−ＤＰＣＨスロットフォーマットは、０から９までのスロットフォーマットのグループのスロットフォーマット１−８のどれかであり、スロットサイクル内の２番目のスロットにＴＰＣ命令をマッピングするのに使用されるＦ−ＤＰＣＨスロットフォーマットは、スロットフォーマットのグループのスロットフォーマット０と９のどれかであり、グループのフォーマットは無線通信規格により規定される。いくつかの実施形態では、ネットワークノードはさらに、プライマリ共通制御物理チャネル（Ｐ−ＣＣＰＣＨ）の開始に対してＴＰＣ合成期間を開始するために構成されたＴＰＣ合成期間決定モジュールを含む。
【００２９】
他の側面によれば、無線フレームのスロットにおいて送信電力制御（ＴＰＣ）命令を受信するための無線デバイスが提供される。無線デバイスは無線フレームのスロットサイクル内の１番目および２番目のスロットの内の１つの中でＴＰＣ命令を受信するように構成されたＴＰＣ受信機を含み、ＴＰＣ命令のマッピングを実行するために使用されるＴＰＣシンボル位置は設定されたスロットフォーマットに基づく。
【図面の簡単な説明】
【００３０】
本実施形態およびそれに伴う利点および特徴のより完全な理解は、添付の図面と併せて考慮すると以下の詳細な説明を参照することによってより容易に理解されるだろう。
【図１】図１は無線フレームの既知のタイミング図。
【図２】図２はＴＰＣ命令およびＴＰＣ合成期間を有する無線リンクの既知のタイミング図。
【図３】図３はＴＰＣ命令マッピング問題に対する例示的な解決策を示すタイミング図。
【図４】図４は本件に記載される原理に従って構成されるネットワークノードのブロック図。
【図５】図５は本件に記載される原理に従って構成される代替のネットワークノードのブロック図。
【図６】図６はＴＰＣ合成期間の間に、１以上のネットワークノードまたは他の無線デバイスからＴＰＣ命令を受信するように構成された無線デバイスの実施形態のブロック図。
【図７】図７はメモリモジュールとソフトウェアモジュールとを有し、ＴＰＣ合成期間の間にＴＰＣ命令を受信するようコンピュータプロセッサに指示するためのソフトウェアを有する無線デバイスの代替実施形態のブロック図。
【図８】図８はＴＰＣ命令をマッピングし、ＴＰＣ合成期間を開始するための例示的なプロセスのフローチャート。
【図９】図９はＴＰＣ命令を送信するためのネットワークノードにおける例示的なプロセスのフローチャート。
【図１０】図１０はＴＰＣ命令をマッピングするためのネットワークノードにおけるプロセスのフローチャート。
【図１１】図１１はＴＰＣ命令を受信する無線デバイスにおける例示的なプロセスのフローチャート。
【発明を実施するための形態】
【００３１】
詳細な例示的な実施形態を説明する前に、実施形態は主に、ダウンリンクにおいて少なくとも１つの無線デバイスへ送信される無線フレームのタイムスロットに送信電力制御（ＴＰＣ）命令をマッピングするなどのダウンリンク送信電力制御に関連する装置コンポーネントと処理ステップとの組み合わせに存在することに留意されたい。したがって、コンポーネントは図において従来の記号によって適切に表現されており、本明細書の利益を有する当業者に容易に明らかになる詳細を有する開示を不明瞭にしないように、実施形態を理解することに関連するこれらの特有な詳細のみが示されている。
【００３２】
本明細書で使用される関係語、「１番目」と「２番目」、「上部」と「下部」などは、そのようなエンティティまたは要素の間にいずれの物理的又は論理的な関係又は順序を必ずしも要求又は暗示することなしに、専ら１つのエンティティまたは要素を他のエンティティまたは要素と区別するために使用されてよい。
【００３３】
本明細書で使用される用語「無線デバイス」は、例えばマシンタイプ通信、マシンとマシンとの通信、センサ、ＵＳＢ、無線組み込み機器、ラップトップ搭載機器、タブレットコンピュータなどのために使用される機器を含むユーザ端末（ＵＥ）を含んでよいが、これに限定されない。
【００３４】
第３世代パートナーシッププロジェクト（３ＧＰＰ）ロングタームエボリューション（ＬＴＥ）通信システムからの用語がいくつかの実施形態を説明するために本開示において使用されるが、これは実施形態の範囲を上記システムにのみ限定すると見るべきではない。広帯域符号分割多元接続（ＷＣＤＭＡ）、ＷｉＭＡＸ、ウルトラモバイルブロードバンド（ＵＭＢ）およびグローバルモバイル通信システム（ＧＳＭ）を含む無線システムだけでなく、他の現在又は将来の４Ｇ又は５Ｇネットワークおよびそれを超える他の無線システムも本開示内にカバーされる主題を利用することから利益を得るだろう。
【００３５】
ここに説明されるいくつかの実施形態はＦ−ＤＰＣＨのダウンリンクスロット境界、およびＦ−ＤＰＣＨに対するダウンリンクスロット境界の５１２チップ後においてＴＰＣ命令合成期間を開始することを含む。新しいシグナリングを導入することを避ける、さらに別の解決策は、最初の２つのＴＰＣシンボルがダウンリンクにおいてＴＰＣ命令を送信するために使用されるときはいつでも、ＴＰＣ命令の送信はスロットサイクル内の２番目のスロットで生じることをあらかじめ定めることを含む。
【００３６】
いくつかの実施形態のいくつかの利点は：
・スロットサイクル内のどのスロットにＴＰＣシンボルが送信されるか無線デバイスに示すために新しいシグナリングは必要ではない。
【００３７】
・ＴＰＣシンボルを同じＴＰＣ合成期間に入らせるために、前の無線リンク（ＲＬ）（すなわちＲＬ１）の再構成を実行する必要はない。
【００３８】
・新しいＲＬが加えられるたびに毎回既存のＲＬの再構成を実行する必要がない。
【００３９】
・Ｆ−ＤＰＣＨスロットフォーマット９に対するＳＨＯにおいてのみ発生する問題に対処するための主要な標準化の努力（すなわち、動的シグナリング、動的再構成）は必要ではない。
【００４０】
ＴＰＣ周波数が低減された新しいＴＰＣアルゴリズム（すなわちアルゴリズム３）が適用される場合、ＤＬでＴＰＣ命令が送信されるスロットサイクル内のスロット位置が下記に説明されるように以下の配置のどちらかである。
【００４１】
・決定論的スロット位置：Ｆ−ＤＰＣＨのダウンリンクスロット境界でＴＰＣ命令合成期間を開始することによって、ＤＬで送信されるＴＰＣ命令をスロットサイクル内の１番目のスロットに決定論的な方法で常にマッピングすること。ＴＰＣ命令合成期間は、１スロットの長さを有し、ＤＰＣＨに対するダウンリンクスロット境界で始まり、アルゴリズム３が設定される場合はＦ−ＤＰＣＨに対し、そしてアルゴリズム３が設定されない場合はＦ−ＤＰＣＨに対し、ダウンリンクスロット境界の５１２チップ後に始まる。
【００４２】
・スロット位置に基づく決定論的なルール：Ｆ−ＤＰＣＨのスロットフォーマット＃９か＃０が設定される場合、決定論的な方法でＤＬで送信されるＴＰＣ命令をスロットサイクル内の２番目のスロットにマッピングする。そしてＤＬで送信されるＴＰＣ命令がこのスロットの最初の２つのＴＰＣシンボル位置のいずれかにマッピングされる。そうでないときは、他のスロットフォーマット＃１〜＃８が使用される場合は、ＤＬで送信されるＴＰＣ命令は決定論的な方法で常にスロットサイクル内の１番目のスロットにマップされなければならない。ネットワークノードは１番目および２番目のスロットの内の１つにＴＰＣ命令をマップし、無線デバイスへ送信する。そして無線デバイスは上記スロットでそのＴＰＣ命令を受信する。言い換えれば、２番目のスロットはスロットフォーマット０と９に対して使用されるべきであり、１番目のスロットは他の全てのスロット、すなわちスロット１−８に対して使用されるべきである。スロットフォーマット＃９と＃０はスロット内の最初の２つのＴＰＣシンボル位置を参照し、これらは従って２番目のスロット内で使用され、一方、全ての他のスロットフォーマット（＃１−＃８）は１番目のスロット内で利用可能であり、ＴＰＣ命令は終わりの８つのＴＰＣシンボル位置のいずれかにマッピングされてもよいことを意味する。ＳＨＯシナリオに対処するこの解決策は、Ｆ−ＤＰＣＨのスロットフォーマット＃９か＃０がアルゴリズム３と共に使用されるように設定され、スロット内の最初の２つのＴＰＣシンボルがいつでもダウンリンクでＴＰＣ命令を送信することに使用されることが予め定められていることを含む場合、スロットサイクル内の２番目のスロットでＴＰＣ命令の送信が生じなければならない。スロットフォーマット＃９がＲＬ１で使用される例について図３に解決策が示される。従って、初期無線リンク設定で、各スロットサイクル内で、ＵＥは、＃１〜＃８のスロットフォーマットの１つを有する１番目のＦ−ＤＰＣＨスロット又はスロットフォーマット＃９および＃０の内の１つを有する２番目のＦ−ＤＰＣＨスロットでＴＰＣ命令を受信する。この解決策は、例えば、ソフトハンドオーバシナリオにおいて異なる無線リンクからＴＰＣ命令の受信と関連する問題を解決する。
【００４３】
図３から分かるように、図３はＴＰＣ命令マッピング問題に対する例示的な解決策を示すタイミング図である。「ＴＰＣ命令合成期間問題」は上述された決定論的ルールに基づくスロット位置解を採用することにより処理される。図３は数学的観点から説明することができる。Ｆ−ＤＰＣＨ無線フレームのスロットが０、１、２・・・１４と番号付けされていると仮定する。さらに係数３（Ｎ＝３）のＴＰＣ周波数低減が適用されると仮定する。Ｎの低減係数を使用する無線デバイスに対する送信されるＴＰＣシンボルの開始点（Ｐ−ＣＣＰＣＨフレームに対し、チップ（ｃｈｉｐ）で測定される、）は：
ＴＰＣ＿ＴＸ＿ｏｆｆｓｅｔ＝（ｔＦ−ＤＰＣＨ＋２５６０＊ｋ＊Ｎ＋  ｓｔａｒｔ＿ｏｆｆｓｅｔ＋  ２５６＊ＮＯＦＦ１／２）ｍｏｄｕｌｏ３８４００ｋ＝０，
１、・・、１５／Ｎ−１  の場合、ＮＯＦＦ＝０の場合、ｓｔａｒｔ＿ｏｆｆｓｅｔ＝２５６０  そうでないときはｓｔａｒｔ＿ｏｆｆｓｅｔ＝０、ｔＦ−ＤＰＣＨはプライマリ共通制御物理チャネル（Ｐ−ＣＣＰＣＨ）に対するＦ−ＤＰＣＨフレームタイミングオフセット、ＮＯＦＦ１は使用されたスロットフォーマットについてのＦ−ＤＰＣＨスロットフォーマット表に見つけることができる。
【００４４】
図４はここに説明される原理に従って構成されるネットワークノードのブロック図である。ネットワークノード１０はメモリ１４とプロセッサ１６が実装された処理回路１２を含む。処理回路１２は、メモリ１４を含むおよび／又は接続されるおよび／又はアクセス（書き込みおよび／又は読み出す）するように構成されてもよい。メモリ１４は任意の種類の揮発性および／又は不揮発性、例えば、キャッシュおよび／又はバッファメモリおよび  ／又はＲＡＭ（Ｒａｎｄｏｍ  Ａｃｃｅｓｓ  Ｍｅｍｏｒｙ）および／又はＲＯＭ（Ｒｅａｄ  Ｏｎｌｙ  Ｍｅｍｏｒｙ）および／又は光メモリおよび／又は  ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）を含むことができる。そのようなメモリ１４は制御回路により実行できるコードおよび／又は他のデータ、例えば通信に関連するデータ、たとえばノードの構成および／又はアドレスデータ、を記憶するように構成できる。処理回路１２はここに説明されるいずれかの方法を制御するおよび／又は例えばプロセッサ１６にそのような方法を実行させるように構成されてもよい。対応する命令はメモリ１４に記憶されてもよく、命令は読出し可能および／又は処理回路１２に読出し可能に接続されてもよい。言い換えると、処理回路１２は、マイクロプロセッサ、マイクロコントローラ、ＦＰＧＡ（Ｆｉｅｌｄ  Ｐｒｏｇｒａｍｍａｂｌｅ  Ｇａｔｅ  Ａｒｒａｙ）デバイス、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）デバイスの少なくともいずれかを含むコントローラを含む。処理回路１２は、コントローラおよび／又は処理回路１２による読み取りおよび／又は書き込みのためにアクセス可能なように構成されたメモリ１４を含む又は接続される又は接続可能であると考えられてもよい。
【００４５】
メモリ１４はＴＰＣ命令１８を記憶するように構成される。プロセッサはＴＰＣ命令マッパ（ｍａｐｐｅｒ）２０を実装するように構成され、マッパ２０は無線フレームを構成する複数のスロットの一部であるスロットサイクル内の１番目のスロットのどれかおよび無線フレームのスロットサイクル内の２番目のスロットへＴＰＣ命令をマップする働きをする。ＴＰＣ命令のマッピングを実行するために使用されるＴＰＣシンボル位置は設定されたスロットフォーマットに基づく。プロセッサ１６はさらに、ＴＰＣ合成期間決定器２２により、ＴＰＣ命令合成期間の開始を決定するように構成される。いくつかの実施形態では、ＴＰＣ命令合成期間は、１スロットの長さを有し、ＤＰＣＨに対するダウンリンクスロット境界で始まり、Ｆ−ＤＰＣＨに対してダウンリンクスロット境界の後の５１２チップで始まる。いくつかの実施形態では、ＴＰＣ命令マッパ２０は、複数のスロットサイクルの各スロットサイクル内の、初期無線リンク設定において次の１つを実行するように構成される。（ａ）ＴＰＣ命令を、１番目のスロットの終わりの８つのＴＰＣシンボル位置のいずれかにマッピングするＦ−ＤＰＣＨスロットフォーマット（＃１〜＃８）を有するスロットサイクルの１番目のスロットの１つにＴＰＣ命令を、マッピングすること。（ｂ）ＴＰＣ命令を、ＴＰＣ命令を２番目のスロットの最初の２つのＴＰＣシンボル位置のいずれかにマッピングするＦ−ＤＰＣＨスロットフォーマット（＃０か＃９）を有するスロットサイクルの２番目のスロットのどれかにマッピングすること。いくつかの実施形態では、ＴＰＣマッパ２０はＦ−ＤＰＣＨ無線フレームのスロットサイクル内の１番目のスロットおよび２番目のスロットのどれかにＴＰＣ命令をマッピングするように構成され、ＴＰＣ命令のマッピングを実行するために使用されるＴＰＣシンボル位置は設定されたＦ−ＤＰＣＨスロットフォーマットに基づく。ネットワークノードはさらに、ＴＰＣ命令を無線デバイスに送信するように構成された送信機２３を含む。
【００４６】
図５はここで説明された原理に従って構成された代替のネットワークノードのブロック図である。ネットワークノード２４はＴＰＣ命令２８を記憶するメモリモジュール２６を含む。ＴＰＣ命令マッピングモジュール３０はプロセッサにより実行されるときに、プロセッサがＴＰＣ命令を、ＴＰＣ命令マッパ２０を参照して上述された働きに従って、無線フレームのスロットサイクル内の１番目のスロットのどれかおよび無線フレームのスロットサイクル内の２番目のスロットにマッピングするように構成されるソフトウェアとして実装されてもよい。ＴＰＣ合成期間決定モジュール３２はさらに、プロセッサがＴＰＣ合成期間を開始するように構成されるソフトウェアとして実装されてもよい。ネットワークノードはさらに、ＴＰＣ命令を無線デバイスへ送信するように構成された送信機モジュール２５を含む。
【００４７】
図６は、ＴＰＣ合成期間の間に１以上のネットワークノード又は他の無線デバイスからＴＰＣ命令を受信するように構成された無線デバイス４０の実施形態のブロック図である。無線デバイス４０はメモリ４４とプロセッサ４６とを含む処理回路４２を含む。処理回路４２は、メモリ４４を含むか、接続されるか、アクセスする（書き込みおよび／又は読み取り）ように構成される。メモリは、任意の種類の、揮発性および／又は不揮発性メモリ、例えば、キャッシュおよび／又はバッファメモリおよび／又はＲＡＭ（Ｒａｎｄｏｍ  Ａｃｃｅｓｓ  Ｍｅｍｏｒｙ）および／又はＲＯＭ（Ｒｅａｄ−Ｏｎｌｙ  Ｍｅｍｏｒｙ）および／又は光メモリおよび／又はＥＰＲＯＭ（Ｅｒａｓａｂｌｅ  Ｐｒｏｇｒａｍｍａｂｌｅ  Ｒｅａｄ−Ｏｎｌｙ  Ｍｅｍｏｒｙ）を含む。このようにメモリ４４は制御回路により実行可能なコードおよび／又は他のデータ、例えば通信に関連するデータ、例えばノードの構成および／又はアドレスデータ等を記憶するように構成されてもよい。処理回路４２は、ここに説明された方法のいずれかを制御するおよび／又はそのような方法を、例えばプロセッサ４６により実行させるように構成されてもよい。対応する命令は、処理回路４２に読めるおよび／又は読めるように接続されたメモリ４４に記憶されてもよい。言い換えると、処理回路４２は、マイクロプロセッサ、マイクロコントローラ、ＦＰＧＡ（Ｆｉｅｌｄ  Ｐｒｏｇｒａｍｍａｂｌｅ  Ｇａｔｅ  Ａｒｒａｙ）デバイス、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）デバイスの少なくともいずれかを含むコントローラを含む。処理回路４２は、コントローラおよび／又は処理回路４２による読み取りおよび／又は書き込みのためにアクセス可能なように構成されたメモリを含む又は接続される又は接続可能であると考えられてもよい。
【００４８】
メモリ４４はＴＰＣ命令１８を記憶するように構成される。プロセッサ４６は、無線フレームのスロットサイクルで、１番目のスロットおよび２番目のスロットの内の１つの中でＴＰＣ命令を受信するＴＰＣ命令受信機５０を実装するように構成される。いくつかの実施形態では、ＴＰＣ合成期間決定器５２は、スロットサイクルの間にＴＰＣ命令を受信するための期間であるＴＰＣ合成期間を決定する働きをする。
【００４９】
図７は、メモリモジュール４４と、コンピュータプロセッサにＴＰＣ合成期間の間にＴＰＣ命令を受信する指示をするためのソフトウェアを含むソフトウェアモジュール５１と５３とを有する無線デバイス４０の代替実施形態のブロック図である。特に、ＴＰＣ受信機モジュール５１は、無線フレームのスロットサイクル内で１番目および２番目のスロットの内の１つの内でＴＰＣ命令を受信するプロセッサを構成する。ＴＰＣ合成期間決定モジュール５３はＴＰＣ合成期間を決定するプロセッサを構成する。
【００５０】
図８は、ＴＰＣ命令をマッピングし、ＴＰＣ合成期間を開始するための例示的なプロセスのフローチャートである。プロセスは、無線フレームのスロットサイクル内の１番目のスロットおよび無線フレームのスロットサイクル内の２番目のスロットの１つへＴＰＣ命令をマッピングすることを含む（ブロックＳ１００）。プロセスはさらに、ＴＰＣ命令が１番目のスロットにマッピングされたか２番目のスロットにマッピングされたかどうかに基づいてＴＰＣ合成期間を開始することを含む（ブロックＳ１０２）。
【００５１】
図９はＴＰＣ命令を送信するためのネットワークノードにおける例示的なプロセスのフローチャートである。このプロセスは、無線フレームのスロットサイクル内の１番目および２番目のスロットのどれかでＴＰＣ命令を送信することを含む（ブロックＳ１０４）。送信されるＴＰＣ命令は、送信の前に図８に拠るスロットサイクルのスロットにマッピングされていてよい。図１０はＴＰＣ命令をマッピングするためのネットワークノードにおけるプロセスのフローチャートである。各スロットサイクル内で（ブロックＳ１０５）、ネットワークノードは、＃１〜＃８のＦ−ＤＰＣＨスロットフォーマットを有する１番目のスロットにＴＰＣ命令をマッピングすること（ブロックＳ１０６）および＃０か＃９のＦ−ＤＰＣＨスロットフォーマットを有する２番目のスロットサイクルにＴＰＣ命令をマッピングすること（ブロックＳ１０８）の１つを行う。図１１はＴＰＣ命令を受信する無線デバイスにおける例示的なプロセスのフローチャートである。プロセスは、無線フレームのスロットサイクル内の１番目および２番目のスロットのどれかでＴＰＣ命令を受信することを含み、ＴＰＣ命令のマッピングを行うために使用されるＴＰＣシンボル位置は設定されたスロットフォーマットに基づく（ブロックＳ１１０）。プロセスはさらにオプションとして、ＴＰＣ命令を包含するように１番目および２番目のスロットに部分的に重なる合成期間の間に異なる無線リンクからの少なくとも２つのＴＰＣ命令を合成することを含む（ブロックＳ１１２）。
【００５２】
いくつかの実施形態は、ダウンリンクで少なくとも１つの無線デバイスに送信される無線フレームのタイムスロットに送信電力制御（ＴＰＣ）命令をマッピングするための方法とシステムとを有利に提供する。方法は、無線フレームのスロットサイクル内の１番目および２番目のスロットのどれかでＴＰＣ命令１８を送信することを含み、ＴＰＣ命令の送信のために使用されるスロットは設定されたスロットフォーマットに基づく（ブロックＳ１０４）。
【００５３】
方法は、無線フレームのスロットサイクル内の１番目および２番目のスロットのどれかにＴＰＣ命令１８をマッピングすることを含み、ＴＰＣ命令（１８）のマッピングを行うために使用されるスロットのＴＰＣシンボル位置は設定されたスロットフォーマットに基づく（ブロックＳ１００）。方法はさらに、ＴＰＣ命令が１番目のスロットにマッピングされたか２番目のスロットにマッピングされたかどうかに基づいてＴＰＣ合成期間を開始することを含む（ブロックＳ１０２）。
【００５４】
方法はスロットサイクル内の１番目および２番目のスロットの内の１つにＴＰＣ命令をマッピングすること及びＴＰＣ命令がマッピングされたスロットサイクル内の１番目および２番目のスロットの内の１つでＴＰＣ命令を送信することを含み、設定されたスロットフォーマットに基づくＴＰＣ命令のマッピングを行うために使用されるＴＰＣシンボル位置とＴＰＣ命令の送信のために使用されるスロットは設定されたスロットフォーマットに基づく。
【００５５】
いくつかの実施形態では、使用されるスロットはフラクショナルデジケイテッド物理チャネル（Ｆ−ＤＰＣＨ）スロットであり、設定されたスロットフォーマットはスロットフォーマット＃０、＃１、＃２、＃３、＃４、＃５、＃６、＃７、＃８及び＃９のどれかである。ＴＰＣ命令（１８）は、設定されたスロットフォーマットが＃０又は＃９の場合は２番目のＦ−ＤＰＣＨスロット内で送信され、そうでないときは１番目のＦ−ＤＰＣＨスロット内で送信される。言い換えれば、２番目のスロットはスロットフォーマット０と９について使用されるべきであり、１番目のスロットは他の全てのスロット、すなわちスロット１−８に対して使用されるべきである。いくつかの実施形態では、方法は、ＴＰＣ命令合成期間の長さ内のスロットサイクルの１番目および２番目のスロットの内の１つにおいてＴＰＣ命令１８を送信することをさらに含み、そのＴＰＣ命令合成期間はフラクショナルデジケイテッド物理チャネル（Ｆ−ＤＰＣＨ）のダウンリンクスロット境界の後の２ＴＰＣシンボル位置で開始する１スロットである。
【００５６】
いくつかの実施形態では、各スロットサイクルは、ユニバーサルモバイルテレコミュニケーションシステム（ＵＭＴＳ）無線ネットワークのフラクショナルデジケイテッド物理チャネル（Ｆ−ＤＰＣＨ）の無線フレームを構成するスロットのセット内の隣接するスロットのグループから構成される。いくつかの実施形態では、スロット当たり１０個のＴＰＣシンボルを有する３つおよび５つのスロットのどれかを含むスロットサイクルの１つのスロットでＴＰＣ命令１８が送信され、各ＴＰＣ命令は１つのＴＰＣシンボルを占める。ＴＰＣ命令１８は３つ又は５つのスロットのみで送信される。いくつかの実施形態では、スロットサイクル内の１番目のスロットにＴＰＣ命令１８をマッピングするために使用されるＦ−ＤＰＣＨスロットフォーマットは、２、３、４、５、６、７、８及び９つのＴＰＣシンボルのどれかによって１番目のスロットの境界からのオフセットを指定する。そして、スロットサイクル内の２番目のスロットにＴＰＣ命令１８をマッピングするために使用されるＦ−ＤＰＣＨスロットフォーマットは、そのスロットの最初の２つのＴＰＣシンボル位置のいずれかにおいて、２番目のスロットの境界の開始に隣接してＴＰＣ命令１８が送信されることを指定する。
【００５７】
いくつかの実施形態では、スロットサイクル内の２番目のスロットの最初の２つのＴＰＣシンボル位置は、（１）ＴＰＣ命令１８の無線デバイス４０への送信、又は、（２）スロットサイクルの１番目のスロット内の後続のＴＰＣシンボル位置はＦ−ＤＰＣＨスロットフォーマット＃１〜＃８により指定される、ために使用される。いくつかの実施形態では、スロットサイクルの１番目のスロット又は２番目のスロットでＴＰＣ命令１８が送信される場合、ＴＰＣ合成期間は、Ｆ−ＤＰＣＨ無線フレームのダウンリンクスロット境界に関して２ＴＰＣシンボル位置（５１２チップ）が過ぎた後に開始される。いくつかの実施形態では、方法はさらに、Ｆ−ＤＰＣＨ無線フレームの１番目のスロットの最初の２つのＴＰＣシンボルが発生した後にＴＰＣ合成期間を開始し、次の続くスロットの最初の２つのＴＰＣシンボルが発生した後にＴＰＣ合成期間を終了することを含む。ＴＰＣ合成期間は逐次繰り返される。いくつかの実施形態では、ＴＰＣ命令のマッピングを実行するために使用されるＴＰＣシンボル位置は設定されたスロットフォーマットに基づく。いくつかの実施形態では、ＴＰＣ合成期間の開始はプライマ共通制御物理チャネル（Ｐ−ＣＣＰＣＨ）の開始に対して決定される。
【００５８】
いくつかの実施形態では、プライマリ共通制御物理チャネル（Ｐ−ＣＣＰＣＨ）の開始に対するＴＰＣ合成期間の開始は次により与えられる。
【００５９】
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ  ＋ ２５６＊ＮＯＦＦ１／２）  ｍｏｄｕｌｏ３８４００、
ｋ＝０、１、・・・１５／Ｎ−１  の場合、ここで、ＮＯＦＦ１＝０  なら  ｓｔａｒｔ＿ｏｆｆｓｅｔ＝２５６０、 そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）フレームタイミングオフセット、ＮＯＦＦ１は使用されたスロットフォーマットに対するＦ−ＤＰＣＨスロットフォーマット表に見つけることができる。
【００６０】
いくつかの実施形態は、ダウンリンクで少なくとも１つの無線デバイスに送信される無線フレームのタイムスロットに送信電力制御（ＴＰＣ）命令をマッピングするための方法である。方法は、複数のスロットサイクルの各スロットサイクル内の初期無線リンク設定において、次の１つを実行することを含む（Ｓ１０５）：ＴＰＣ命令を終わりの８つのＴＰＣシンボル位置のいずれかにマッピングするＦ−ＤＰＣＨスロットフォーマット（＃１〜＃８）を有するスロットサイクルの１番目のスロットへＴＰＣ命令を、マッピングすること（ブロックＳ１０６）；（ｂ）ＴＰＣ命令１８を２番目のスロットの内の最初の２つのＴＰＣシンボル位置のいずれかにマッピングするＦ−ＤＰＣＨスロットフォーマット（＃０か＃９）を有するスロットサイクルの２番目のスロットにＴＰＣ命令１８を、マッピングすること（ブロックＳ１０８）。なお、スロットフォーマット＃９と＃１０はスロット内の最初の２つのＴＰＣシンボル位置を参照する。これら２つのスロットフォーマット（＃９と＃０）はサイクル内の２番目のスロットで使用されるので、サイクル内の１番目のスロットについて、ＴＰＣ命令１８が終わりの８つのＴＰＣシンボル位置のいずれかにマップされ得ることを意味するすべての他のスロットフォーマット（＃１から＃８）が利用可能である。この決定論的マッピングを有することは、ソフトハンドオーバシナリオにおいて異なる無線リンクからＴＰＣ命令の受信に関連する如何なる問題も自動的に解決する。各スロットサイクル内で、初期無線リンク設定において、無線デバイスは、＃１〜＃８のスロットフォーマットのどれかを有する１番目のＦ−ＤＰＣＨスロット又はスロットフォーマット＃９と＃０の内の１つを有する２番目のＦ−ＤＰＣＨスロットでＴＰＣ命令を受信する。
【００６１】
いくつかの実施形態は、ダウンリンクで少なくとも１つの無線デバイスに送信される無線フレームのタイムスロットに送信電力制御（ＴＰＣ）命令をマッピングするためのネットワークノードを含む。ネットワークノード１０はプロセッサ１６と、プロセッサ１６と通信するメモリ１４とを含む処理回路を含む。メモリ１４はＴＰＣ命令１８と、プロセッサ１６により実行される場合に、プロセッサに、設定されたスロットフォーマットに基づく無線フレームのスロットサイクル内の１番目および２番目のスロットのどれかへＴＰＣ命令をマッピングをさせる実行可能プログラムコードとを、記憶するよう構成される。プロセッサはさらに、無線フレームのスロットサイクル内の１番目および２番目のスロットの内の１つで少なくとも１つの無線デバイス４０へＴＰＣ命令１８を送信するように構成される。
【００６２】
いくつかの実施形態では、無線フレームのスロットサイクル内の１番目および２番目のスロットの内の１つへＴＰＣ命令１８をマッピングすることは、使用されたスロットのＴＰＣシンボル位置へＴＰＣ命令をマッピングすることを含み、ＴＰＣ命令１８のマッピングと送信を実行するために使用されるスロットのＴＰＣシンボル位置は設定されたスロットフォーマットに基づく。いくつかの実施形態では、タイムスロットはフラクショナルデジケイテッド物理チャネル（Ｆ−ＤＰＣＨ）スロットであり、設定されたスロットフォーマットはスロットフォーマット  ＃０、＃１、＃２、  ＃３、＃４、＃５、＃６、＃７、＃８  及び＃９のどれかである。いくつかの実施形態では、設定されたスロットフォーマットが＃０か＃９の場合、ＴＰＣ命令１８は２番目のＦ−ＤＰＣＨスロット内で送信され、そうでないときは１番目のＦ−ＤＰＣＨスロット内で送信される。
【００６３】
いくつかの実施形態では、各スロットサイクルは、ユニバーサルモバイルテレコミュニケーションシステム（ＵＭＴＳ）無線ネットワークのフラクショナルデジケイテッド物理チャネル（Ｆ−ＤＰＣＨ）の無線フレームを構成するスロットの部分である。いくつかの実施形態では、スロットサイクルは、スロット当たり１０シンボルを備える３つおよび５つのスロットの１つを包含し、各ＴＰＣ命令は１つのＴＰＣシンボルを占める。いくつかの実施形態では、スロットサイクル内の１番目のスロットにＴＰＣ命令１８をマッピングするために使用されるＦ−ＤＰＣＨスロットフォーマットは、２、３、４、５、６、７、８及び９つのＴＰＣシンボルのどれかによって１番目のスロットの境界からのオフセットを指定する。そして、スロットサイクル内の２番目のスロットにＴＰＣ命令１８をマッピングするために使用されるＦ−ＤＰＣＨスロットフォーマットは、そのスロットの最初の２つのＴＰＣシンボル位置のいずれかにおいて、２番目のスロットの境界の開始に隣接してＴＰＣ命令１８が送信されることを指定する。
【００６４】
いくつかの実施形態では、スロットサイクル内の１番目のスロットにＴＰＣ命令をマッピングするために使用されるＦ−ＤＰＣＨスロットフォーマットは、０から９までのスロットフォーマットのグループの１−８のスロットフォーマットの１つである。スロットサイクル内の２番目のスロットにＴＰＣ命令１８をマッピングするために使用されるＦ−ＤＰＣＨスロットフォーマットは、無線通信規格により規定されるフォーマットのグループの０と９のどれかである。いくつかの実施形態では、ネットワークノードは次の１つを実行する：スロットサイクル内の２番目のスロットの最初の２つのＴＰＣシンボル位置はＴＰＣ命令１８を無線デバイスへ送信するために使用される；そして、スロットサイクル内の１番目のスロット内の後続のＴＰＣシンボル位置はＦ−ＤＰＣＨスロットフォーマット＃１〜＃８により規定される。
【００６５】
いくつかの実施形態では、ネットワークノードのプロセッサはさらに、ＴＰＣ命令合成期間の長さ内のスロットサイクルの１番目および２番目のスロットの内の１つでＴＰＣ命令を送信させ、そのＴＰＣ合成期間の期間は、Ｆ−ＤＰＣＨのダウンリンクスロット境界の後の２ＴＰＣシンボル位置で開始する１スロットである。いくつかの実施形態では、プロセッサはさらに、Ｆ−ＤＰＣＨ無線フレームの１番目のスロットの最初の２つのＴＰＣシンボルが発生した後にＴＰＣ合成期間を開始し、次の続くスロットの最初の２つのＴＰＣシンボルが発生した後にＴＰＣ合成期間を終らせるように構成され、ＴＰＣ合成期間はお互いに繰り返される。いくつかの実施形態では、ＴＰＣ合成期間の開始はプライマ共通制御物理チャネル（Ｐ−ＣＣＰＣＨ）の開始に対して決定される。
【００６６】
いくつかの実施形態では、プライマリ共通制御物理チャネル（Ｐ−ＣＣＰＣＨ）の開始に対するＴＰＣ合成期間の開始は次により与えられる。
【００６７】
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ  ＋ ２５６＊ＮＯＦＦ１／２）  ｍｏｄｕｌｏ３８４００、
ｋ＝０、１、・・・１５／Ｎ−１  の場合、ここで、ＮＯＦＦ１＝０  なら  ｓｔａｒｔ＿ｏｆｆｓｅｔ＝２５６０、そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）フレームタイミングオフセット、ＮＯＦＦ１は使用されたスロットフォーマットに対するＦ−ＤＰＣＨスロットフォーマット表に見つけることができる。
【００６８】
いくつかの実施形態によれば、ネットワークノード１０は、ダウンリンクで少なくとも１つの無線デバイスへ送信される無線フレームのタイムスロットに送信電力制御（ＴＰＣ）命令をマッピングするために構成される。ネットワークノード１０はプロセッサ１６と、プロセッサ１６と通信するメモリ１４とを含む処理回路１２を含む。メモリはＴＰＣ命令１８を記憶するように構成される。プロセッサ１６は、複数のスロットサイクルの各スロットサイクル内で、初期無線リンク設定において、次の１つを実行するように構成される：（ａ）ＴＰＣ命令１８を１番目のスロットの最後の８つのＴＰＣシンボル位置のいずれかにマッピングするＦ−ＤＰＣＨスロットフォーマット（＃１〜＃８）を有するスロットサイクルの１番目のスロットの１つにＴＰＣ命令１８を、マッピングすること（ブロック１０６）。（ｂ）ＴＰＣ命令１８を２番目のスロットの最初の２つのＴＰＣシンボル位置のいずれかにマッピングするＦ−ＤＰＣＨスロットフォーマット（＃０か＃９）を有するスロットサイクルの２番目のスロットの１つにＴＰＣ命令１８を、マッピングすること（ブロックＳ１０８）。
【００６９】
いくつかの実施形態は、無線デバイスにおいて無線フレームのスロットで送信電力制御（ＴＰＣ）命令を受信する方法である。この方法は、無線フレームのスロットサイクル内で１番目および２番目のスロットの内の１つの内でＴＰＣ命令を受信することを含む（ブロックＳ１１０）。いくつかの実施形態では、ＴＰＣ命令１８のマッピングと送信を実行するために使用されるＴＰＣシンボル位置は設定されたスロットフォーマットに基づく。いくつかの実施形態では、タイムスロットはフラクショナルデジケイテッド物理チャネル（Ｆ−ＤＰＣＨ）スロットであり、設定されたスロットフォーマットは、スロットフォーマット＃０、＃１、＃２、＃３、＃４、＃５、＃６、＃７、＃８  及び＃９のどれかである。そして、設定されたスロットフォーマットが＃０又は＃９の場合、ＴＰＣ命令１８は２番目のＦ−ＤＰＣＨスロット内で受信され、そうでないときは１番目のＦ−ＤＰＣＨスロット内で受信される。
【００７０】
いくつかの実施形態では、異なる無線リンクからのＴＰＣ命令はプロセッサ４６によりアクセス可能なレジスタに記憶される。いくつかの実施形態では、この方法はさらに、ＴＰＣ命令を含む１番目および２番目のスロットと部分的に重なる合成期間の間に異なる無線リンクから少なくとも２つのＴＰＣ命令を受信することを含む。いくつかの実施形態では、この方法はさらに、ＴＰＣ命令を含む１番目および２番目のスロットと部分的に重なる合成期間の間に異なる無線リンクからの少なくとも２つのＴＰＣ命令を合成することを含む。
【００７１】
いくつかの実施形態では、無線フレームのスロットにおいて送信電力制御（ＴＰＣ）命令を受信するための無線デバイスが提供される。無線デバイス４０は無線フレームのスロットサイクル内の１番目および２番目のスロットの内のどれかの内でＴＰＣ命令１８を受信するように構成された処理回路４２を含む。いくつかの実施形態では、ＴＰＣ命令１８のマッピングを実行するために使用されるＴＰＣシンボル位置は設定されたスロットフォーマットに基づく。いくつかの実施形態では、タイムスロットはフラクショナルデジケイテッド物理チャネル（Ｆ−ＤＰＣＨ）スロットであり、設定されたスロットフォーマットはスロットフォーマット＃０、＃１、＃２、＃３、＃４、＃５、＃６、＃７、＃８  及び＃９のどれかである。そして、設定されたスロットフォーマットが＃０又は＃９の場合、ＴＰＣ命令１８は２番目のＦ−ＤＰＣＨスロット内で受信され、そうでないときは１番目のＦ−ＤＰＣＨスロット内で受信される。
【００７２】
いくつかの実施形態では、処理回路４２はさらに、ＴＰＣ命令を包含するために、１番目および２番目のスロットと部分的に重なる合成期間の間に異なる無線リンクからの少なくとも２つのＴＰＣ命令が受信されるように構成される。いくつかの実施形態では、処理回路４２はさらに、少なくとも２つのＴＰＣ命令を包含するために、１番目および２番目のスロットと部分的に重なる合成期間の間に異なる無線リンクからの少なくとも２つのＴＰＣ命令を合成するように構成される。いくつかの実施形態では、異なる無線リンクからの少なくとも２つのＴＰＣ命令はプロセッサ４６によりアクセス可能なレジスタに記憶される。
【００７３】
いくつかの実施形態によれば、ダウンリンクで少なくとも１つの無線デバイス４０へ送信されるＦ−ＤＰＣＨ無線フレームのタイムスロットに送信電力制御（ＴＰＣ）命令をマッピングするためのネットワークノード１０が提供される。ネットワークノード１０は、Ｆ−ＤＰＣＨ無線フレームのスロットサイクル内の１番目および２番目のスロットの内の１つにＴＰＣ命令１８をマッピングするように構成されたマッピングモジュール３０を含み、ＴＰＣ命令のマッピングを実行するために使用されるＴＰＣシンボル位置は設定されるＦ−ＤＰＣＨスロットフォーマットに基づく。
【００７４】
いくつかの実施形態によれば、ダウンリンクで少なくとも１つの無線デバイス４０へ送信されるＦ−ＤＰＣＨ無線フレームのタイムスロットに送信電力制御（ＴＰＣ）命令１８をマッピングするネットワークノード１０が提供される。ネットワークノード１０はＴＰＣ命令１８を記憶するように構成されたメモリモジュール２６を含む。ネットワークノード１０はさらに、ＴＰＣ命令をスロットサイクルのスロットにマッピングするように構成されたＴＰＣ命令１８マッピングモジュール３０を含む。マッピングは、（ａ）ＴＰＣ命令を終わりの８つのＴＰＣシンボル位置のいずれかにマッピングするＦ−ＤＰＣＨスロットフォーマット（＃１〜＃８）を有するスロットサイクルの１番目のスロットにＴＰＣ命令をマッピングすること（ブロックＳ１０６）；および（ｂ）ＴＰＣ命令１８を２番目のスロット内の最初の２つのＴＰＣシンボル位置のいずれかへマッピングするＦ−ＤＰＣＨスロットフォーマット（＃０又は＃９）を有するスロットサイクルの２番目のスロットへＴＰＣ命令を、マッピングすること（ブロックＳ１０８）、の１つを含む。
【００７５】
いくつかの実施形態によれば、各スロットサイクルはユニバーサルモバイルテレコミュニケーションシステム（ＵＭＴＳ）無線ネットワークのフラクショナルデジケイテッド物理チャネル（Ｆ−ＤＰＣＨ）である。いくつかの実施形態では、スロットサイクル内の１番目のスロットにＴＰＣ命令１８をマッピングするために使用されるＦ−ＤＰＣＨスロットフォーマットは、２、３、４、５、６、７、８及び９つのＴＰＣシンボルのどれかによって１番目のスロットの境界からのオフセットを指定する。そして、スロットサイクル内の２番目のスロットにＴＰＣ命令１８をマッピングするために使用されるＦ−ＤＰＣＨスロットフォーマットは、そのスロットの最初の２つのＴＰＣシンボル位置のいずれかにおいて、２番目のスロットの境界の開始に隣接してＴＰＣ命令１８が送信されることを指定する。いくつかの実施形態では、スロットサイクル内の１番目のスロットにＴＰＣ命令をマッピングするために使用されるＦ−ＤＰＣＨスロットフォーマットは、０から９までのスロットフォーマットのグループのスロットフォーマット１−８のどれかであり、スロットサイクル内の２番目のスロットにＴＰＣ命令をマッピングするのに使用されるＦ−ＤＰＣＨスロットフォーマットは、スロットフォーマットのグループのスロットフォーマット０と９の内の１つであり、グループのフォーマットは無線通信規格により規定される。いくつかの実施形態では、ネットワークノード１０は、プライマリ共通制御物理チャネル（Ｐ−ＣＣＰＣＨ）の開始に対してＴＰＣ合成期間を開始するように構成されたＴＰＣ合成期間決定モジュールを含む。
【００７６】
いくつかの実施形態では、無線フレームのスロットにおいて送信電力制御（ＴＰＣ）命令１８を受信するための無線デバイス４０が提供される。無線デバイス４０は無線フレームのスロットサイクル内の１番目および２番目のスロットの内の１つでＴＰＣ命令１８を受信するように構成されたＴＰＣ受信モジュール５１を含み、ＴＰＣ命令のマッピングを実行するために使用されるＴＰＣシンボル位置は設定されたスロットフォーマットに基づく。いくつかの実施形態では、無線フレームはフラクショナルデジケイテッド物理チャネル（Ｆ−ＤＰＣＨ）である。
【００７７】
本開示は、ダウンリンクで少なくとも１つの無線デバイスへ送信される無線フレームのタイムスロットに、送信電力制御（ＴＰＣ）命令をマッピングするための方法とシステムとを有利に提供する。１つの側面によれば、方法は、無線フレームのスロットサイクル内の１番目のスロットの１つと無線フレームのスロットサイクル内の２番目のスロットとにＴＰＣ命令をマッピングすることと、ＴＰＣ命令が１番目のスロットにマッピングされたか２番目のスロットにマッピングされたかどうかに基づいてＴＰＣ合成期間を開始することと、を含む。
【００７８】
この側面によれば、いくつかの実施形態では、ＴＰＣのマッピングが１番目のスロットの場合は、ＴＰＣ合成期間はフラクショナルデジケイテッド物理チャネル（Ｆ−ＤＰＣＨ）のダウンリンクスロット境界で開始される。いくつかの実施形態では、ＴＰＣのマッピングが２番目のスロットの場合は、プライマリ共通制御物理チャネル（Ｐ−ＣＣＰＣＨ）の開始に対するＴＰＣ合成期間の開始は次により与えられる。
【００７９】
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ＋２５６＊ＮＯＦＦ１／２）  ｍｏｄｕｌｏ３８４００、
ｋ＝０，１，・・・１５／Ｎ−１  の場合、ここで、ＮＯＦＦ１＝０  なら  ｓｔａｒｔ＿ｏｆｆｓｅｔ＝２５６０、 そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）フレームタイミングオフセット、ＮＯＦＦ１は使用されたスロットフォーマットに対するＦ−ＤＰＣＨスロットフォーマット表に見つけることができる。
【００８０】
他の側面によれば、ダウンリンクで少なくとも１つの無線デバイスへ送信される無線フレームのタイムスロットに送信電力制御（ＴＰＣ）命令をマッピングするための装置がネットワークノードに提供される。装置は、プロセッサおよびプロセッサと通信するメモリを含む処理回路を含む。メモリはＴＰＣ命令と、プロセッサにより実行される場合にプロセッサに、無線フレームのスロットサイクル内の１番目のスロットの１つおよび無線フレームのスロットサイクル内の２番目のスロットにＴＰＣ命令をマッピングさせ、ＴＰＣ命令が１番目のスロットにマッピングされたか２番目のスロットにマッピングされたかどうかに基づいてＴＰＣ合成期間を開始させる、実行可能プログラムコードとを記憶するよう構成される。
【００８１】
さらに他の側面によれば、ネットワークノードの装置は、ダウンリンクで少なくとも１つの無線デバイスへ送信される無線フレームのタイムスロットに送信電力制御（ＴＰＣ）命令をマッピングするために構成される。装置は、無線フレームのスロットサイクル内の１番目のスロットの１つおよび無線フレームのスロットサイクル内の２番目のスロットへＴＰＣ命令をマッピングするように構成されたマッピングモジュールを含む。装置はさらに、ＴＰＣ命令が１番目のスロットにマッピングされたか、２番目のスロットにマッピングされたかどうかに応じてＴＰＣ合成期間開始時刻を決定するように構成されたＴＰＣ合成期間決定モジュールを含む。
【００８２】
いくつかの実施形態は以下を含む。
（実施形態１）
ダウンリンクで少なくとも１つの無線デバイスへ送信される無線フレームのタイムスロットに送信電力制御命令（ＴＰＣ）をマッピングする方法であって、：
この方法は、無線フレームのスロットサイクル内の１番目のスロットの１つおよび無線フレームのスロットサイクル内の２番目のスロットへＴＰＣ命令をマッピングすること；および
ＴＰＣ命令が一番目のスロットにマッピングされたか２番目のスロットにマッピングされたかどうかに基づいてＴＰＣ合成期間を開始すること、を含む。
（実施形態２）
ＴＰＣのマッピングが１番目のスロットの場合は、ＴＰＣ合成期間はフラクショナルデジケイテッド物理チャネル（Ｆ−ＤＰＣＨ）のダウンリンクスロット境界において開始される、実施形態１の方法。
（実施形態３）
ＴＰＣのマッピングが２番目のスロットの場合は、プライマリ共通制御物理チャネル（Ｐ−ＣＣＰＣＨ）の開始に対するＴＰＣ合成期間の開始は：
ＴＰＣ＿ＴＸ＿ｏｆｆｓｅｔ＝（ｔＦ−ＤＰＣＨ＋２５６０＊ｋ＊Ｎ＋ｓｔａｒｔ＿ｏｆｆｓｅｔ  ＋ ２５６＊ＮＯＦＦ１／２）  ｍｏｄｕｌｏ３８４００、
ｋ＝０、１、・・・１５／Ｎ−１  の場合、ここで、ＮＯＦＦ１＝０  なら  ｓｔａｒｔ＿ｏｆｆｓｅｔ＝２５６０、そうでないときはｓｔａｒｔ＿ｏｆｆｓｅｔ＝０、ｔＦ−ＤＰＣＨはＰ−ＣＣＰＣＨ  に対するフラクショナルデジケイテッド物理チャネル（Ｆ−ＤＰＣＨ）フレームタイミングオフセット、ＮＯＦＦ１は使用されたスロットフォーマットに対するＦ−ＤＰＣＨスロットフォーマット表に見つけることができる、により与えられる、実施形態１の方法。
（実施形態４）
ダウンリンクで少なくとも１つの無線デバイスへ送信される無線フレームのタイムスロットに送信電力制御命令（ＴＰＣ）をマッピングするためのネットワークにおける装置であって、この装置は：
プロセッサおよびプロセッサと通信するメモリを含む処理回路とを含み、
このメモリは、
ＴＰＣ命令と、
プロセッサにより実行されると、プロセッサに無線フレームのスロットサイクル内の１番目のスロットの１つおよび無線フレームのスロットサイクル内の２番目のスロットへＴＰＣ命令をマッピングさせ、および
ＴＰＣ命令が１番目のスロットにマッピングされたか２番目のスロットにマッピングされたかどうかに基づいてＴＰＣ合成期間を開始させる、実行可能なプログラムコードと、を記憶するように構成される。
（実施形態５）
ダウンリンクで少なくとも１つの無線デバイスへ送信される無線フレームのタイムスロットに送信電力制御命令（ＴＰＣ）をマッピングするためのネットワークノードにおける装置であって、この装置は、
無線フレームのスロットサイクル内の１番目のスロットの１つおよび無線フレームのスロットサイクル内の２番目のスロットへＴＰＣ命令をマッピングするように構成されたマッピングモジュールと、
ＴＰＣ命令が１番目のスロットにマッピングされたか、２番目のスロットにマッピングされたかどうかに基づいてＴＰＣ合成期間開始時刻を決定するように構成されたＴＰＣ合成期間決定モジュールと、を含む。
【００８３】
略語の説明
・ＤＴＸ  不連続送信
・ＲＬ  無線リンク
・ＳＩＤ  研究項目の説明
・ＳＨＯ  ソフトハンドオーバ
・ＴＰＣ  送信電力制御
・ＴＳＧ  技術仕様グループ
・ＷＩＤ  作業項目の説明
・ＷＧ１  ワーキンググループ１
【００８４】
当業者により理解されるように、ここで説明される概念は方法、データ処理システム、および／又はコンピュータプログラム製品として具体化されてもよい。したがって、ここに説明される概念は、全てハードウェアに具体化されたもの、全てソフトウェアに具体化されたもの、ソフトウェアとここで一般に回路又はモジュールと呼ばれる態様のハードウェアとを組み合わせて具体化されたものの形態をとることができる。さらに、本開示は、コンピュータによって実行可能な媒体に具体化されたコンピュータプログラムコードを有する有形のコンピュータ利用可能な記憶媒体上のコンピュータプログラム製品の形態をとることができる。ハードディスク、ＣＤ−ＲＯＭ、電子記憶装置、光記憶装置、または磁気記憶装置を含む任意の適切な有形のコンピュータ可読媒体が利用できる。
【００８５】
いくつかの実施形態は、フローチャート図および／又は方法、システム及びコンピュータプログラム製品のブロック図を参照して説明される。フローチャート図および／又はブロック図およびフローチャート図のブロックおよび／又はブロック図の組み合わせの各ブロックはコンピュータプログラム命令により実施できることは理解されるだろう。これらのコンピュータプログラム命令は、汎用コンピュータのプロセッサ（それによって専用目的のコンピュータを作る。）、専用コンピュータ、または他の機会を製造するためのプログラマブルデータ処理装置に提供され、そのような命令は、コンピュータのプロセッサまたは他のプログラマブルデータ処理装置により実行され、フローチャートおよび／又はブロック図に指定される機能や動作を実施するための手段を作成する。
【００８６】
これらのコンピュータプログラム命令は、コンピュータ可読メモリに記憶された命令が、フローチャートおよび／又はブロック図のブロックに指定された機能・動作を実施する指示手段を含む製品を生成するように、特定の方法でコンピュータ又は他のプログラマブルデータ処理装置を機能させる、コンピュータ可読メモリ又は記憶媒体に記憶される。
【００８７】
コンピュータプログラム命令は、コンピュータ又は他のプログラマブルデータ処理装置にロードされて、コンピュータ又は他のプログラマブル装置で一連の動作ステップを実行させ、コンピュータ又は他のプログラマブルな装置で実行して、フローチャートおよび／又はブロック図のブロックに指定された機能／動作を実行するためのステップを提供するコンピュータ実行プロセスを生成する。
【００８８】
ブロックに記された機能又は動作は動作図に記された順番から外れることがあることを理解されたい。例えば、連続して示される２つのブロックは、実際、実質的に同時に実行されてよく、又は関係する機能／動作に応じて逆順で実行されてもよい。図のいくつかは通信の主な方向を示すための通信経路上の矢印を含むが、通信は示された矢印と逆方向に生じてもよいことを理解されたい。
【００８９】
ここに説明された概念の動作を実行するためのコンピュータプログラムコードは、Ｊａｖａ（登録商標）又はＣ＋＋などのオブジェクト指向プログラム言語で記述されてもよい。しかし、この開示の動作を実行するためのコンピュータプログラムコードはさらに、Ｃプログラム言語などの従来の手続き型プログラミング言語で記述されてもよい。プログラムコードは、ユーザのコンピュータ上で全て、ユーザのコンピュータ上で部分的に、スタンドアローンのソフトウェアパッケージとして、部分的にはユーザのコンピュータ上と部分的にはリモートコンピュータ上で、又は全てリモートコンピュータ上で実行されてもよい。後者のシナリオではリモートコンピュータはユーザのコンピュータと、ローカルエリアネットワーク（ＬＡＮ）又は広域ネットワーク（ＷＡＮ）又は外部コンピュータへ作成された接続（例えばインターネットサービスプロバイダを使うインターネットを通じて）を通じて接続される。
【００９０】
上記の説明および図面に関連して、多くの異なる実施形態がここに開示されている。これらの実施形態の全ての組み合わせおよびサブコンビネーションを文字通り説明および図示することは過度にくどくて難読であることは理解される。したがって、全ての実施形態が任意の方法および／又は組み合わせで組み合わせることができ、図面を含むこの明細書は、ここに記載され実施形態およびそれらを行いそして用いる方法とプロセスの全ての組み合わせおよびサブコンビネーションの完全な記述を構成すると解釈されるべきであり、そのような組み合わせまたはサブコンビネーションは請求項をサポートする。
【００９１】
当業者はここに記載の実施形態は、上記に特に示され、説明されたものに限定されないことが理解されよう。さらに、上に言及されていない限り、添付の図面の全ては縮尺どおりではないことに留意されたい。以下の特許請求の範囲から逸脱することなく、上記の教示に照らして様々な変更および変形が可能である。
【図１】
0006613364.tif 000003
【図２】
0006613364.tif 000004
【図３】
0006613364.tif 000005
【図４】
0006613364.tif 000006
【図５】
0006613364.tif 000007
【図６】
0006613364.tif 000008
【図７】
0006613364.tif 000009
【図８】
0006613364.tif 000010
【図９】
0006613364.tif 000011
【図１０】
0006613364.tif 000012
【図１１】
0006613364.tif 000013